(57)【要約】【課題】  道路標識の筐体形状に対応して各高出力ＬＥＤの発する照射光束を広く、しかも均一の明るさをもって拡散せしめ、標識図柄から発する光束発散均整度を筐体形状に限定されることなく高めることができる問題点を全て解決することを目的とする。【解決手段】  所要形状からなる筐体の片面に着脱もしくは開閉自在に設けた半透光性表示板の標識図柄を、前記筐体内に配した高出力ＬＥＤにより照らすようにした高出力ＬＥＤ式片面内照型道路標識において、前記筐体内にテーパー状側面拡散板および平面状拡散板から高出力ＬＥＤ取付体を設けるとともに、前記筐体形状に基づき算出される筐体寸法およびテーパー状側面拡散板の角度寸法により算出される前記高出力ＬＥＤ取付体における最高率光束発散位置に、所要数の高出力ＬＥＤを取付けたことを特徴とする高出力ＬＥＤ式片面内照型道路標識を提供する。【選択図】  図１
0003116586.tif 000002
【実用新案登録請求の範囲】
【請求項１】
所要形状からなる筐体の片面に着脱もしくは開閉自在に設けた半透光性表示板の標識図柄を、前記筐体内に配した高出力ＬＥＤにより照らすようにした高出力ＬＥＤ式片面内照型道路標識において、前記筐体内にテーパー状側面拡散板および平面状拡散板からなる高出力ＬＥＤ取付体を設けるとともに、前記筐体形状に基づき算出される筐体寸法およびテーパー状側面拡散板の角度寸法により算出される前記高出力ＬＥＤ取付体における最高率光束発散位置に、所要数の高出力ＬＥＤを取付けたことを特徴とする高出力ＬＥＤ式片面内照型道路標識。
【請求項２】
請求項１に記載の高出力ＬＥＤ式片面内照型道路標識において、前記各高出力ＬＥＤの上方部に、取付高さ調整可能の光束拡散フイルターを設けたことを特徴とする高出力ＬＥＤ式片面内照型道路標識。
【請求項３】
請求項１乃至請求項２に記載の高出力ＬＥＤ式片面内照型道路標識において、前記高出力ＬＥＤと筐体内壁との間に配線および高出力ＬＥＤ点灯用電源部収納兼放熱用間隙を設けたことを特徴とする高出力ＬＥＤ式片面内照型道路標識。
【考案の詳細な説明】
【技術分野】
【０００１】  本考案は、高出力ＬＥＤ式片面内照型道路標識に関するものであって、詳しくは、片面を着脱もしくは開閉自在の所要の標識図柄からなる半透光性表示板とした筐体内にテーパー状側面拡散板および平面状拡散板からなる高出力ＬＥＤ取付体を設けるとともに、前記筐体形状に基づき算出される筐体寸法およびテーパー状側面拡散板の角度寸法により算出される計算式により特定される前記高出力ＬＥＤ取付体における最高率光束発散位置に、所要数の高出力ＬＥＤを取付けることにより標識図柄から発する光束発散均整度を最大に高めることが出来るようにした高出力ＬＥＤ式片面内照型道路標識に関するものである。
【背景技術】
【０００２】  従来、極く一般的に使用されている片面内照型道路標識としては、図１１〜１２に示すように、所要形状の筐体１０に対して着脱もしくは開閉自在で、しかも所要の標識図柄１１を施した半透光性の表示板１２と、前記筐体１０内に発光源として蛍光灯１３を備えたものが公知である。【０００３】  また、図１３〜１４に示すように筐体１０の内壁面１０ａに沿って設けた配線基板１４に標準値で小容量０．０２５Ｗ型のＬＥＤ１５を多数取付け、前記ＬＥＤ１５の発光１５ａにより表示板１２の標識図柄１１を照らすようにしたもの、または、図１５〜１６に示すように筐体１０の内底部１０ｂに設けた小出力ＬＥＤ平面ベース板１６に小容量のＬＥＤ１５を多数取付け、前記ＬＥＤ１５の発光１５ａにより表示板１２の標識図柄１１を照らすようにしたもの、または、図１７〜１８に示すように筐体１０の内に設けた周知の導光板１７の周側面に小容量のＬＥＤ１５を多数取付け、前記ＬＥＤ１５の発光１５ａにより表示板１２の標識図柄１１を照らすようにしたものなどが公知である。
【考案の開示】
【考案が解決しようとする課題】
【０００４】  ところが、上記従来技術において、図１１〜１２に示すものは、いづれも発光源が蛍光灯１３であるため、消費電力量が多く、甚だ不経済であり、しかも放熱量が大で多量の炭酸ガスを発生して環境衛生を破壊し、かつ温暖化の一因ともなるなどの問題点を有するばかりでなく、球切れなどの故障も多く、補修が面倒であるなど種々の問題点があった。【０００５】  また、上記従来技術に対し、図１３〜１４および図１５〜１６、図１７〜１８に示すものは、発光源を蛍光灯１３に代え、小容量のＬＥＤ１５としたことにより、上記図１１〜１２に示すものの問題点を解決することはできたが、上記図１３〜１４および図１５〜１６に示すものは、いずれも上記発光源が小容量のＬＥＤ１５からなるものであるため、照射領域が発光源の狭い範囲に限定され、発光源を多数使用するため、コスト高となり、また、角度調整なしでは、標識図柄全体を均一の明るさ、即ち標識図柄１１から発する光束発散均整度を高め標識図柄全体を筐体形状の大きさによっては均一の明るさに照らすことができないという問題点があったとともに、必要に応じ前記各ＬＥＤ１５から照射される光束方向を所要の方向に調整する場合は、各ＬＥＤ１５の電極であるリード線（図示せず）をいちいち曲げて１個、１個調整しなければならず調整が面倒であるという問題点があった。【０００６】  さらにまた、上記従来技術において、図１７〜１８に示すものは、各種形状の筐体１０に対して導光板１７の光束発散設計をその都度行わなければならず、製作が面倒で高価となるなどの問題点があった。
【課題を解決するための手段】
【０００７】  本考案の高出力ＬＥＤ式片面内照型道路標識は、上記課題を解決することを目的とし、請求項１に係る考案は、所要形状からなる筐体の片面に着脱もしくは開閉自在に設けた半透光性表示板の標識図柄を、前記筐体内に配した高出力ＬＥＤにより照らすようにした高出力ＬＥＤ式片面内照型道路標識において、前記筐体内にテーパー状側面拡散板および平面状拡散板からなる高出力ＬＥＤ取付体を設けるとともに、前記筐体形状に基づき算出される筐体寸法およびテーパー状側面拡散板の角度寸法により算出される前記高出力ＬＥＤ取付体における最高率光束発散位置に、所要数の高出力ＬＥＤを取付けたことを特徴とする。【０００８】  また、本考案の請求項２に係る考案は、請求項１に記載の高出力ＬＥＤ式片面内照型道路標識において、前記各高出力ＬＥＤの上方部に、取付高さ調整可能の光束拡散フイルターを設けたことを特徴とする。【０００９】  また、本考案の請求項３に係る考案は、請求項１乃至請求項２に記載の高出力ＬＥＤ式片面内照型道路標識において、前記高出力ＬＥＤと筐体内壁との間に配線および高出力ＬＥＤ点灯用電源部収納兼放熱用間隙を設けたことを特徴とする。
【考案の効果】
【００１０】  本考案の請求項１に係る考案は、所要形状からなる筐体の片面に着脱もしくは開閉自在に設けた半透光性表示板の標識図柄を、前記筐体内に配した高出力ＬＥＤにより照らすようにした高出力ＬＥＤ式片面内照型道路標識において、前記筐体内にテーパー状側面拡散板および平面状拡散板からなる高出力ＬＥＤ取付体を設けるとともに、前記筐体形状に基づき算出される筐体寸法およびテーパー状側面拡散板の角度寸法により算出される前記高出力ＬＥＤ取付体における最高率光束発散位置に、所要数の高出力ＬＥＤを取付けたことを特徴とするものであるから、道路標識の筐体形状に対応して各高出力ＬＥＤの発する照射光束を広く、しかも均一の明るさをもって拡散せしめ、標識図柄から発する光束発散均整度を筐体形状に限定されることなく高めることができる効果がある。【００１１】  また、本考案の請求項２に係る考案は、請求項１に記載の高出力ＬＥＤ式片面内照型道路標識において、前記各高出力ＬＥＤの上方部に、取付高さ調整可能の光束拡散フイルターを設けたことを特徴とするものであるから、高出力ＬＥＤの発する照射光束をより一層確実かつ明るく均等に拡散させ、標識図柄から発する光束発散均整度を筐体形状に限定されることなく高めることができる効果がある。【００１２】  また、本考案の請求項３に係る考案は、請求項１乃至請求項２に記載の高出力ＬＥＤ式片面内照型道路標識において、前記高出力ＬＥＤと筐体内壁との間に配線および高出力ＬＥＤ点灯用電源部収納兼放熱用間隙を設けたことを特徴とするものであるから、高出力ＬＥＤを発光させるための配線を筐体内壁と高出力ＬＥＤ取付体との間の間隙内に収納することにより外部に露出することなく全体をコンパクトに製作することができるとともに高出力ＬＥＤが発する熱を冷却する効果がある。
【考案を実施するための最良の形態】
【００１３】  本考案は、高出力ＬＥＤ式片面内照型道路標識において、特に標識図柄から発する光束発散均整度を筐体形状に限定されることなく高め標識図柄を明確に視認することが可能となる構造簡単にして故障の少い高出力ＬＥＤ式片面内照型道路標識を提供する。
【実施例】
【００１４】  以下、図面を参照して本考案に係る高出力ＬＥＤ式片面内照型道路標識の実施の形態を詳細に説明する。
図１乃至図１０は、本考案の請求項１乃至請求項３に記載された考案の一実施例を説明するためのものであって、図１〜２は、筐体形状の異る、高出力ＬＥＤ式片面内照型道路標識において、標識図柄部分を一部切欠した斜視図である。【００１５】  図３は、本考案の筐体内部構造の一例を示す一部切欠平面図、図４は、同縦断面図、図５は、筐体と高出力ＬＥＤ取付体と高出力ＬＥＤ取付位置関係の一例を示す一部拡大断面図である。【００１６】  図６は、高出力ＬＥＤの発光方向および反射拡散領域の一例を示す一部切欠平面図、図７は、同高出力ＬＥＤ取付状態の一例を示す一部拡大断面図、図８は、同平面図、図９〜１０は、光束拡散フイルターの取付高さを調整（変えた）した場合における発光方向および光束発散角の相違の一例を示す断面図である。【００１７】  図１１〜１２は、従来の蛍光灯を用いた片面内照型道路標識の一例を示す一部切欠斜視図である。図１３は、筐体の内壁面に沿って設けた配線基盤に小容量のＬＥＤを多数取付けた場合の一例を示す平面図、図１４は、同縦断面図である。【００１８】  図１５は、筐体内に設けた平面ベース板に小容量のＬＥＤを多数取付けた場合の一例を示す平面図、図１６は、同縦断面図である。【００１９】  図１７は、周側面に小容量のＬＥＤを多数取付けた導光板を筐体内に設けた一例を示す平面図、図１８は、同縦断面図である。【００２０】  図１乃至図１０において、１は、本考案に係る高出力ＬＥＤ式片面内照型道路標識Ａにおける所要形状からなる筐体を示すものであって、図１〜２示のように三角形状また円形状など種々の形状のものからなる。２は、前記筐体１の片面に着脱もしくは開閉自在に設けられた半透光性の表示板であって、前記表示板２には、所要の標識図柄３が施されている。４は、前記筐体１内に設けられたテーパー状側面拡散板４ａおよび平面状拡散板４ｂからなる高出力ＬＥＤ取付体であって、前記高出力ＬＥＤ取付体４には、筐体形状に基づき算出される筐体寸法およびテーパー状側面拡散板４ａの角度寸法により算出される最高率光束発散位置に、所要数の光束拡散フイルター５ａを別個に設けた高出力ＬＥＤ５（例えば、ルミレッズライティング社製の周知の高出力ＬＥＤ）が取付けられている。なお、前記光束拡散フイルター５ａは、高出力ＬＥＤ５と一体に設けたものとしてもよい。また、図６において、６は図柄板面光束発散分布領域を示すものである。【００２１】  図７〜８において、５ｂは、高出力ＬＥＤ５の放熱アルミ基板、５ｃは、高出力ＬＥＤ配線基板、５ｄは、スペーサー、５ｅは、光束拡散フイルター取付ビス、５ｆは、ナット、５ｇは、高出力ＬＥＤ５の配線リード、５ｈは、配線および高出力ＬＥＤ点灯用電源部収納兼放熱用間隙を示すものである。【００２２】  図９〜１０において、矢印ａは光束発散方向を示し、α、α’は光束拡散フイルター５ａによる発散角、βは、高出力ＬＥＤ光束発散角、ｔ，ｔ’は光束拡散フイルター取付高さを示すものである。【００２３】  なお、本考案の高出力ＬＥＤ取付体における高出力ＬＥＤの最高率光束発散位置の特定は、図５において、ｌ＝Ｄ／２（ｔａｎα／２＋ｔａｎα／４）の算出式
Ｄ：筐体深さ寸法
α：高出力ＬＥＤ発光半値角度
及び
θ＝９０°−α／４の算出式
θ：テーパー状側面板取付角度の両算出式により算出決定されるものである。【００２４】  本考案の高出力ＬＥＤ式片面内照型式道路標識は、従来の蛍光灯使用のものの問題点をことこどく解決し得たものであることは勿論のこと、特に本考案においては内照光源を高出力ＬＥＤとし、これを筐体内に設けたテーパー状側面拡散板および平面状拡散板からなる高出力ＬＥＤ取付体の所定位置、即ち筐体形状に基づき算出される筐体寸法およびテーパー状側面拡散板の角度寸法により算出される最高率光束発散位置に所要数取付ることにより、各高出力ＬＥＤが発する照射光束を広く、しかも均一の明るさをもって拡散せしめ、標識図柄から発する光束発散均整度を筐体形状に限定されることなく高めることができるものである。
【産業上の利用可能性】
【００２５】  なお、本実施例では、高出力ＬＥＤ式片面内照型道路標識について説明したが、これに限らず各種変形を含む内照型看板などに適用できること勿論である。
【図面の簡単な説明】
【００２６】
【図１】  本考案に係る高出力ＬＥＤ式片面内照型道路標識において、標識図柄部分を一部切欠した一例を示す斜視図である。
【図２】  本考案に係る高出力ＬＥＤ式片面内照型道路標識において、標識図柄部分を一部切欠した他の例を示す斜視図である。
【図３】  本考案に係る筐体内部構造の一例を示す一部切欠平面図である。
【図４】  同縦断面図である。
【図５】  本考案の筐体と高出力ＬＥＤ取付体と高出力ＬＥＤ取付位置関係の一例を示す一部拡大断面図である。
【図６】  本考案に係る高出力ＬＥＤの発光方向および反射拡散領域の一例を示す一部切欠平面図である。
【図７】  本考案の高出力ＬＥＤ取付状態の一例を示す一部拡大断面図である。
【図８】  同平面図である。
【図９】  本考案の光束拡散フイルターの取付高さを調整（高く）した場合における発光方向および光束発散角の相違の一例を示す断面図である。
【図１０】  本考案の光束拡散フイルターの取付高さを調整（低く）した場合における発光方向および光束発散角の相違の一例を示す断面図である。
【図１１】  従来の蛍光灯を用いた片面内照型道路標識の一例を示す一部切欠斜視図である。
【図１２】  同従来の蛍光灯を用いた片面内照型道路標識の一例を示す一部切欠斜視図である。
【図１３】  従来の片面内照型道路標識において、筐体の内壁面に沿って設けた配線基板に小容量のＬＥＤを多数取付けた場合の一例を示す平面図である。
【図１４】  同縦断面図である。
【図１５】  従来の片面内照型道路標識において、筐体内に設けた平面ベース板に小容量のＬＥＤを多数取付けた場合の一例を示す平面図である。
【図１６】  同縦断面図である。
【図１７】  従来の片面内照型道路標識において、周側面に小容量のＬＥＤを多数取付けた導光板を筐体内に設けた一例を示す平面図である。
【図１８】  同縦断面図である。
【符号の説明】
【００２７】Ａ    高出力ＬＥＤ式片面内照型道路標識
１    筐体
２    表示板
３    標識図柄
４    高出力ＬＥＤ取付板
４ａ  テーパー状側面拡散板
４ｂ  平面状拡散板
５    高出力ＬＥＤ
５ａ  光束拡散フイルター
５ｂ  高出力ＬＥＤ放熱アルミ基板
５ｃ  高出力ＬＥＤ配線基板
５ｄ  スペーサー
５ｅ  光束拡散フイルター取付ビス
５ｆ  ナット
５ｇ  高出力ＬＥＤの配線リード
５ｈ  配線および高出力ＬＥＤ点灯用電源部収納兼放熱用間隙
６    図柄板面光束発散分布領域
α    発散角
α’  発散角
β    高出力ＬＥＤ光束発散角
ｔ    光束拡散フイルター取付高さ
ｔ’  光束拡散フイルター取付高さ
【図１】
0003116586.tif 000003
【図２】
0003116586.tif 000004
【図３】
0003116586.tif 000005
【図４】
0003116586.tif 000006
【図５】
0003116586.tif 000007
【図６】
0003116586.tif 000008
【図７】
0003116586.tif 000009
【図８】
0003116586.tif 000010
【図９】
0003116586.tif 000011
【図１０】
0003116586.tif 000012
【図１１】
0003116586.tif 000013
【図１２】
0003116586.tif 000014
【図１３】
0003116586.tif 000015
【図１４】
0003116586.tif 000016
【図１５】
0003116586.tif 000017
【図１６】
0003116586.tif 000018
【図１７】
0003116586.tif 000019
【図１８】
0003116586.tif 000020